(57)【要約】【課題】気体の分析に使用される気体吸着用器具であって、破損しにくく、かつ汚染されにくい用具の提供。【解決手段】気体透過性容器に気体吸着性固体物質が封入され、前記気体透過性容器に対し、線状物または面状物の周回材が周回していることを特徴とする吸着用器具。【選択図】なし【特許請求の範囲】
【請求項１】
空間に存在する気体を分析するための気体吸着用器具であって、気体透過性容器に気体吸着性固体物質が封入され、前記気体透過性容器に対し、線状物または面状物の周回材が周回していることを特徴とする吸着用器具。
【請求項２】
前記周回材が、線状物であって、気体透過性容器の回りを巻回していることを特徴とする請求項１記載の吸着用器具。
【請求項３】
前記周回材が複数の線状物からなるものであって、周回材が環状体もしくはそれが変形した形状の物体の集合体であることを特徴とする請求項１記載の吸着用器具。
【請求項４】
前記周回材が帯状のものであって、気体透過性容器の一部を多角形に周回するものであることを特徴とする請求項１記載の吸着用器具。
【請求項５】
請求項１〜４いずれかの吸着用器具を、気体を測定したい空間におき、気体吸着性固体物質に気体を吸着させ、その後加熱または減圧として、気体吸着性固体物質から気体を分離させ、分離した気体を分析することを特徴とする気体の分析方法。
【発明の詳細な説明】
【技術分野】
【０００１】
本発明は、空間に存在する気体を分析するための吸着用器具およびそれを用いた気体の分析方法
【背景技術】
【０００２】
空間に存在する気体の組成などの分析にあたっては、気体を吸着剤に吸着させ、それをガスクロマトグラフィーなどの分析装置に導入して分析、または分析装置の外部で気体を分離させ分析装置に導入する方法があった。そこで、吸着用器具として耐熱性の気体透過性の容器に気体吸着性固体粉末を封入したものを用いることが提案されている。（例えば特許文献１）。
【０００３】
しかしながら、これまで提案されている吸着用器具は、耐熱性の気体透過性容器であることに由来して、破損しやすいという問題があった。また本来検出されるべきでない物質が検出されることもあった。
【先行技術文献】
【特許文献】
【０００４】
【特許文献１】特開２００７−５１９４８号公報
【発明の概要】
【発明が解決しようとする課題】
【０００５】
従来の技術の問題に鑑み、本発明は、破損しにくい気体吸着用器具を提供とすることを課題とする。また汚染されにくい気体吸着用器具を提供することを課題とする。
【課題を解決するための手段】
【０００６】
本発明は以下の構成をとる。
（１）空間に存在する気体を分析するための気体吸着用器具であって、気体透過性容器に気体吸着性固体物質が封入され、前記気体透過性容器に対し、線状物または面状物の周回材が周回していることを特徴とする吸着用器具。
（２）前記周回材が、線状物であって、気体透過性容器の回りを巻回していることを特徴とする前記吸着用器具。
（３）前記周回材が複数の線状物からなるものであって、周回材が環状体もしくはそれが変形した形状の物体の集合体であることを特徴とする前記吸着用器具。
（４）前記周回材が帯状のものであって、気体透過性容器を多角形に周回するものであることを特徴とする前記吸着用器具。
（５）前記いずれかの吸着用器具を、気体を測定したい空間におき気体吸着性固体物質に気体を吸着させ、その後加熱し、気体吸着性固体物質から気体を分離させ、分離した気体を分析することを特徴とする気体の分析方法。
【発明の効果】
【０００７】
本発明気体吸着用器具によれば、従来技術のように簡便な気体の分析が可能であるが、さらに破損も少なく、また汚染の少ない吸着ができ、必要があればさらに汚染が少なく、破損しにくい保管もできるという効果がある。
【図面の簡単な説明】
【０００８】
【図１】気体透過性容器と気体吸着性固体物質との関係の例を示す概念図。
【図２】本発明の周回材の形状の例を示す概念図。
【図３】本発明の気体吸着用器具を用いて空間に存在する気体を吸着させている状態を示す概念図。
【図４】本発明の気体吸着用器具を保管している状態を示す概念図。
【発明を実施するための形態】
【０００９】
まず、本発明の吸着用器具では耐熱性の気体透過性の容器に気体吸着性固体物質を封入している。気体吸着性固体物質としては、気体を吸着しそして加熱あるいは減圧することで分解することなく脱着することができる固体状のものが例示される。多孔質あるいは非多孔質の無機材料または有機材料が利用できる。無機材料には、活性アルミナ、シリカゲル、モレキュラーシーブや活性炭などの炭素系吸着剤があり、有機材料にはポーラスポリマー類がある。粉体の粒子径としては80~20メッシュ程度である。具体的には、Tenax、Carbotrap、Carboxen（シグマアルドリッチ社製）が例示される。また、これら異なる種類の吸着剤の併用もできる。
【００１０】
上記吸着性固体物質を封入する気体透過性の容器としては耐熱性に優れたものが好ましく、気体が自由に透過でき、さらに気体吸着性固体物質がもれなければよい。多孔性のガラスやセラミック、金属などが例示される。
【００１１】
容器と気体吸着性固体物質の形態としては、図１の「a)筒状」に示したような筒状の気体透過性容器を準備し、その中に吸着性固体物質を充填したものが例示される。内部には、断面図のところで示したようにシングルベッド方式のようにひとつの固体物質を保管する空間からなるものや、マルチベッド方式のように２種以上の固体物質を保管するためのふたつ以上の空間からなるものが例示される。また図１の「b)シート状」に示したような、シート状の気体透過性容器を準備し、中央に気体吸着性固体物質をおき、シート状気体透過性容器を折り曲げ、気体吸着性固体物質を封入することで得られるものが例示される。
【００１２】
本発明の気体吸着用器具は、周回材が気体透過性容器の回りを周回している。周回材としては耐熱性があり、また加熱により分解ガスの発生しないものであれば、特に制限されないが、後で説明する容器の破損防止の観点から金属のものが好ましい。線状の周回材の例としては、図２の「a)線状周回材（巻回）」で示すように、線状のものがコイル状（さらに述べるとコイルバネ状）に巻き回されたものが例示される。当該図に示すように、気体吸着用器具の端部のいずれかの部分の周回距離よりも容器中心部の周回距離が大きい、すなわち周回する径が大きいほうが、保管容器に入れやすく、また保管容器中で固定しやすいので好ましい。なおこの関係はコイル状に限らず、周回材が集合した形状でもいえることである。また単にコイル状に周回するのではなく、ころがりにくくするため、一部に角を設けてもいい。さらに図２の「b)線状周回材（環状もしくはその変形の集合）に示すように、複数の環状物が集合し、距離をおき、かつ環状体同士が固定手段で固定された構造でもよい。さらに環状から変形して、図２の「b)線状周回材（環状もしくはその変形の集合）」に付記したように四角形、三角形、もしくは（図に例示していないが）円形から変形して１カ所またはそれ以上の個数が角を有する形状のものも、ころがりにくいことからよい。さらに、線状物から発展して図２の「c)面状周回材」に示す構造のものでもいい。面状周回材の形状としては、気体吸着用器具の長手方向から見て、多角形、例えば３から８の多角形のものが例示される。
【００１３】
かような構造の気体吸着用器具は、分析の対象とする空間におかれ、測定される気体を吸着する。時間としては例えば１時間〜１週間である。この気体吸着用器具は、試験前にすでに周辺環境中の物質を吸着、付着している場合があるので、それらの物質を除去するために、前もって２００℃以上で加熱しておくことが好ましい。この場合減圧状態としておくことも有用である。
【００１４】
図３は気体を吸着している状態を示すものである。分析対象とする気体が存在する空間の境界を破線で示してある。図３の「a)床面に静置」に示すように、本発明の吸着用器具を床面に置くことができる。また図３の「b)台上に静置」に示すように台上に置くことができる。従来の気体透過性容器は、露出した状態で置かれると、下の床や台との接触面積が多くなり、下の部分からの汚染を受けやすく、検出されるべきでない物質を最終的に多く検知することになる。本発明では線状物を周回又は容器の一部のみに面状物を周回させているので下との接触面積が小さくなり、検出されるべきでない下からの汚染物の量が少なくなる。また図３の「c)つりさげ」に示すように、分析空間で、周回物を支える点として、気体吸着用器具をつり下げながら、気体を吸着させることができる。当然、床や台との接触がないので、下からの汚染物による影響を受けにくい。
【００１５】
図４は本発明の吸着用器具の保管状態を示すものである。保管には単に気体を吸着した後、分析を行うまでの保管に限られず、気体を吸着した場所から分析場所までの吸着用器具の移動に伴う保管も含まれる。図４の「a)ガラス製スクリュー瓶で保管」、「b)加熱脱離用容器中で保管」に示したように周回材がクッションとなり、保管容器を通じてきた外部からの振動が、破損しやすい気体透過性容器に直接当たるのを防止し、気体透過性容器の破損による吸着器具の破損を防止することができる。さらに図４各図に示すように、周回材が気体透過性容器の端部よりもはみ出していれば、吸着器具の長さ方向の振動も周回材が吸収することができる。さらに、周回材の存在により保管容器内部との接触面積が小さくなり、保管容器内部からの汚染も小さくさせることができる。
【００１６】
吸着性固体物質が気体を吸着した本発明の吸着用器具は、保管容器である瓶から取り出して、または気体吸着させた空間で加熱脱離容器中に封入し、ガスクロマトグラフの熱脱着装置またはサンプリングチューブに入れて、加熱又は減圧として、搬送ガスで気体を搬送しつつガスクロマトグラフに導入して、吸着したガスを分析することができる。
【図１】
2013186048.tif 000002
【図２】
2013186048.tif 000003
【図３】
2013186048.tif 000004
【図４】
2013186048.tif 000005